(57)【要約】      （修正有）【課題】連続的な様々な、互いに直接連続する、レイフラットタイプの本（Lay-Flat-Bucher）、レイフラットタイプのフォトブック及び/又は画像ブックを製造する装置を提供する。【解決手段】印刷マークを有する用紙ウェブを供給する用紙ウェブ供給ステーションと、印刷マークを検出するセンサーを有する横方向切断ステーションからなる第一モジュール２１と、筋付け及び折畳みステーション及び貼合せステーションと冷却装置を有する第二のモジュール２２と、三方向切断ステーションからなる第三のモジュール２３と、それぞれ所定の個別の表紙を提供及び供給するための、表紙提供ステーション２４と、製本ブロックとこれに割り当てられる表紙を組み合わせるための、組合せステーション２５と、本を完成させるための表紙固定装置と、完成した本を取り出すための取り出し装置、及び完成した本を放出するための放出ステーション２６を有する。【選択図】図２
2012218445.tif 000002
【特許請求の範囲】
【請求項１】
本、特にフォトブック及び/又は画像ブックの製造の為の装置であって、
長手方向に動作し、一方面に印刷され、及び/又はコーティングされ、及び/又は写真技術により処理され、及び印刷マークを有し、及び/又は印刷塗布コードを有する用紙ウェブ（３４）を供給するための用紙ウェブ供給ステーション（３２〜４６）有し、この用紙ウェブ供給ステーションが、
・用紙ウェブ（３４）を提供するための少なくとも一つの提供手段（３０，３２）を有し、
・後置された用紙ウェブ貯蔵部（４４）を有し、及び、
・用紙ウェブ（３４）を用紙ウェブ（３４）の提供手段（３０，３２）から引出し、用紙ウェブ（３４）を用紙ウェブ貯蔵部（４４）に送るための第一の搬送装置（４２）を有し、
用紙ウェブ供給ステーションに後置された横方向切断ステーション（４８〜５９）を有し、この横方向切断ステーションが、
・用紙ウェブ（３４）上に存在する印刷マーク、及び/又は印刷塗布コードを検出するためおよび検出の結果を表す出力信号を出力するためのセンサー装置（５５）を有し、
・用紙ウェブ（３４）を動作方向において相前後して個別の用紙（５２）に切断するよう形成された、後置された横方向切断ユニット（５０）を有し、
・用紙ウェブを用紙ウェブ供給ステーションから、センサー装置（５５）の出力信号に応じて、断続的にかつフォーマット及び/又はインデックスに関し正確に横方向切断ユニット（５０）に送るための第二の搬送装置（４８）を有し、及び、
・個別の用紙（５２）を互いに所定の間隔で排出するための、横方向切断ユニット（５０）に後置された第三の搬送装置（５６）を有し、
動作方向（Ａ）に対して横方向に、用紙（５２）の中央で筋付けを行いそして折畳む横方向ステーションに後置された筋付け及び折畳みステーション（６２）を有し、
複数の互いに連続して折畳まれた用紙（５２）を互いに面で接続するための貼合せステーション（７４）を有し、この貼合せステーションが、
・折畳まれた用紙の上面の基本的に全面に接着剤の塗布を行うための接着剤塗布装置（７６）を有し、
・複数の用紙を製本ブロックを形成するために互いに積重ねるための積層装置（８４，８６）を有し、および、
・最も上の折畳まれた各用紙を圧力によって、基本的に面で付勢するための押圧装置（８７）を有し、
三方向切断ステーション（１００）を有し、この三方向切断ステーションが、
・選択されたフォーマットに応じて、本の背と反対側の、製本ブロック（９６）の前縁（９６ａ）が、製本ブロック（９６）の動作方向に対して基本的に横向きに推移する定義された切断線上に来るように、製本ブロック（９６）を貼合せステーション（７４）から三方向切断ステーション（１００）へと送る第四の搬送装置（１０２）を有し、
・切断線に沿って設けられた横方向ナイフ（１０４）を有し、および、
・製本ブロック（９６）の動作方向（Ａ）に対して基本的に横方向に互いに間隔を置いて設けられ、およびフォーマット調整の為に横方向に調整可能に設けらている二つの側方ナイフ（１０６，１０７）を有し、
各製本ブロックに対して、それぞれ所定の個別の表紙を提供および供給するための、表紙提供ステーション（２４）を有し、この表紙提供ステーションが、
・表紙を提供するための提供手段を有し、および、
・表紙を提供手段から取り出すための第五の搬送装置（１１２，１１４）を有し、および、
・本の背を形成する筋状の中央部分であって、二つの筋に境界づけされており、および表紙を二つの半分の部分に分割する中央部分を生じさせるために表紙に筋付けを行うための筋付け装置を有し、
製本ブロックとこれに割り当てられる表紙を組み合わせるための、三方向切断ステーション（１００）に後置された組合せステーション（２５）を有し、この組合せステーションが、
・製本ブロックを組合せ位置に送るための第六の搬送装置（１１６，１１８）を有し、
・第六の搬送装置（１２０）が製本ブロックを、この接着剤塗布装置を通して動かす間に、接着剤を基本的に面で製本ブロックの両外側面にもたらす接着剤塗布装置を有し、
・個別の表紙を組合せ位置に送るための第七の搬送装置を有し、および、
・表紙の両半分の部分を、接着剤を着けられた、製本ブロックの外側面に固定し、本を完成させるための表紙固定装置を有し、および
・完成した本を取り出すための取り出し装置（１２４）を有し、および、
完成した本を放出するための放出ステーション（２６）を有し、好ましくは、これを後続する包装装置において有することを特徴とする装置。
【請求項２】
用紙提供ステーション中において、用紙ウェブを提供するための提供手段が、用紙ウェブロール（３０）を受け入れるための巻スピンドル（３２）を有することを特徴とする請求項１に記載の装置。
【請求項３】
用紙ウェブ供給ステーションが、用紙ウェブを巻きほどくための装置を有することを特徴とする請求項１または２に記載の装置。
【請求項４】
用紙ウェブ供給ステーションが、所定のウェブ張力を用紙ウェブ（３２）中に生じさせるための装置（３８，４０）を有することを特徴とする請求項１から３のいずれか一項に記載の装置。
【請求項５】
第一の搬送装置（４２）及び/又は第二の搬送装置（４８）が、延伸ローラー対を有することを特徴とする請求項１から４のいずれか一項に記載の装置。
【請求項６】
横方向切断ステーション中の横方向切断ユニット（５０）が、回転可能に支承されたナイフキャリア（５４）を有し、このナイフキャリアにらせん状のナイフが設けられ、及び、位置固定に設けられた対向ナイフを有することを特徴とする請求項１から５のいずれか一項に記載の装置。
【請求項７】
第三の搬送装置（５６）が、吸引式ベルトコンベヤを有することを特徴とする請求項１から６のいずれか一項に記載の装置。
【請求項８】
筋付け及び折畳みステーション（６２）が、筋付けツール（６６）と、用紙を筋付けツールに送るための第九の搬送装置（６４）とを有することを特徴とする請求項１から７のいずれか一項に記載の装置。
【請求項９】
第九の搬送装置が、延伸ローラー対を有することを特徴とする請求項１から８のいずれか一項に記載の装置。
【請求項１０】
筋付けおよび折畳みステーションが、少なくとも二つの回転可能に支承された折畳みローラー（７０ａ〜７０ｃ）を有し、これら折畳みローラーが、好ましくは折畳み刀状部材（７２）と相互作用することを特徴とする請求項１から９のいずれか一項に記載の装置。
【請求項１１】
筋付けおよび折畳みステーション（６２）が、不具合を有する用紙をえり分けるための、搬出装置を有していることを特徴とする請求項１から１０のいずれか一項に記載の装置。
【請求項１２】
貼合せステーション（７４）中の接着剤塗布装置（７６）が、調整可能な接着材塗布ノズル装置（７８）を有することを特徴とする請求項１から１１のいずれか一項に記載の装置。
【請求項１３】
接着材塗布ノズル装置（７８）が、フラットダイを有することを特徴とする請求項１２に記載の装置。
【請求項１４】
貼合せステーション（７４）中の押圧装置が、少なくとも一つの可動に支承された押付けローラー（８７）を有することを特徴とする請求項１から１３のいずれか一項に記載の装置。
【請求項１５】
貼合せステーション（７４）が、製本ブロック（９６）中の接着材接続を冷却するための冷却装置（９２）を有することを特徴とする請求項１から１４のいずれか一項に記載の装置。
【請求項１６】
三方向切断ステーション（１００）中の搬送装置が、挟持搬送装置（１０２）を有し、この挟持搬送装置が、好ましくは、製本ブロック（９６）の前縁（９６ａ）に隣接する部分を掴むよう形成されていることを特徴とする請求項１から１５のいずれか一項に記載の装置。
【請求項１７】
横方向ナイフ（１０４）及び/又は、二つの側方ナイフ（１０６，１０７）の少なくとも一方が、下に向かって斜めに可動に設けられていることを特徴とする請求項１から１６のいずれか一項に記載の装置。
【請求項１８】
表紙提供ステーション中において表紙を提供するための提供手段が、積重ねマガジンを有することを特徴とする請求項１から１７のいずれか一項に記載の装置。
【請求項１９】
表紙提供ステーション中の第五の搬送装置が、吸入式グラブを有することを特徴とする請求項１から１８のいずれか一項に記載の装置。
【請求項２０】
表紙提供ステーション中の筋付け装置が、少なくとも一つの、好ましくは垂直に、可動に設けられた、筋付け刀状部材と、少なくとも一つの固定式に設けられた対向枠を有することを特徴とする請求項１から１９のいずれか一項に記載の装置。
【請求項２１】
組合せステーション中の第六の搬送装置（１１６，１１８）が、下方の位置から上方の位置へ可動な、垂直に起立するサドルプレートを有し、このサドルプレートが、下から略中央に製本ブロックを挟み込むので、製本ブロックがその背後部でもって、サドルプレートの上方の縁部に載置可能であることを特徴とする請求項１から２０のいずれか一項に記載の装置。
【請求項２２】
第六の搬送装置が、製本ブロックを、背後部が上を向いた状態で起き上がらせるための、回転装置及び/又は旋回装置（１１６）を有することをを特徴とする請求項２１に記載の装置。
【請求項２３】
組合せステーション中の第七の搬送装置（１２０）が、製本ブロックを、基本的に平らに広げられた形で、第六の搬送装置（１１６，１１８）の搬送方向に対して角度を有して向け、好ましくは横に向けるよう形成されていることを特徴とする請求項１から２２のいずれか一項に記載の装置。
【請求項２４】
表紙固定装置が、二つの可動に支承された押付けローラーを有し、これらの間に、表紙を有する製本ブロックが受け入れられることを特徴とする請求項１から２３のいずれか一項に記載の装置。
【請求項２５】
組合せステーション中の第八の搬送装置（１２４）が、挟持搬送装置を有することを特徴とする請求項１から２４のいずれか一項に記載の装置。
【請求項２６】
組合せステーションが、折畳み押圧装置（１２６）を有することを特徴とする請求項１から２５のいずれか一項に記載の装置。
【請求項２７】
第八の搬送装置（１２６）が、完成された本を折畳み押圧装置に移送するよう形成されているこを特徴とする請求項２６に記載の装置。
【請求項２８】
表紙提供ステーション（２４）が、不具合を有する表紙をえり分けるための搬出装置を有し、及び/又は、組合せステーション（２５）が、不具合を有する製本ブロックをえり分けるための搬出装置を有することを特徴とする請求項１から２７のいずれか一項に記載の装置。
【請求項２９】
少なくとも、用紙ウェブ供給ステーション、横方向切断ステーション、筋付けおよび折畳みステーション、貼合せステーション、三方向切断ステーション、および組合せステーションが、共に、基本的に順番に、並んで位置する配列を形成し、この配列が、オペレータが近づくことのできる前方側（２ａ）と後方側（２ｂ）を有することを特徴とする請求項１から２８のいずれか一項に記載の装置。
【請求項３０】
用紙ウェブ（３４）、用紙（５２）、製本ブロック（９６）および完成した本（１４）の定義された案内および整向の為の参照線（Ｃ）が形成され、その際、参照線の第一の部分（Ｃ１）が、用紙ウェブ供給ステーション（３２〜４６）から、横方向切断ステーション（５０）並びに筋付けおよび折畳みステーション（６２）を通り貼合せステーション（７４）へと進み、そして用紙ウェブ（３４）と用紙（５２）の長手方向側の為の側方の参照線を定義し、そして後続する参照線の第二の部分（Ｃ２）が、貼合せステーション（７４）から、三方向切断ステーション（１００）を通り組合せステーション（２５）へと進み、そして製本ブロック（９６）と完成した本の中央線のための参照線を定義することを特徴とする請求項３０に１から２９のいずれか一項に記載の装置。
【請求項３１】
参照線の第一の部分（Ｃ１）が、後方側（２ｂ）に隣接して推移することを特徴とする請求項２９および３０に記載の装置。
【請求項３２】
一つの主制御装置（１５０）およびこの主制御装置（１５０）と特にバスシステム（１４２）を介して連結された複数のステーション制御装置（１６０〜１６７）を有し、これらステーション制御装置が、ステーション、特に用紙ウェブ供給ステーション（３２〜４６）、横方向切断ステーション（５０）、筋付けおよび折畳みステーション（６２）、貼合せステーション、表紙提供ステーション（２４）および組合せステーション（２５）の少なくともいくつかに付設されている装置において、
各搬送装置が、独立して制御可能及び/又は調整可能な少なくとも一つの駆動装置と、回転的または直線的に動作する少なくとも一つの位置計測装置を有し、
ステーションの少なくとも一つが、それぞれ、様々なフォーマット、特に用紙フォーマットおよび製本ブロックフォーマット並びに本フォーマットを調整するための、フォーマット調整装置、そして、
主制御装置（１５）及び/又はステーション制御装置（１６０〜１６７）が、中断の無い自動的なフォーマット交換の為に形成されており、および装備されていることを特徴とする請求項１から３１のいずれか一項に記載の装置。 
【請求項３３】
用紙ウェブ（３４）上に存在する印刷マーク及び/又は印刷塗布コードの検出のために、センサー装置（４１；５５）が、主制御装置（１５０）及び/又は少なくと一つのステーション制御装置（１６０；１６１）と連結されており、および、主制御装置（１５４）及び/又は少なくとも一つのステーション制御装置と連結されている、上位に置かれた塗布制御装置（１５４）が設けられている装置において、
印刷マーク及び/又は印刷塗布コードが、塗布データを有し、この塗布データが、主制御装置（１５０）及び/又は少なくとも一つのステーション制御装置（１６０〜１６７）を介して、上位に置かれた塗布制御装置（１５４）によって呼び出し可能であること、および好ましくは、塗布識別符号、用紙寸法および製造すべき製本ブロック（９６）の頁数を含んでいることを特徴とする請求項３２に記載の装置。
【請求項３４】
表紙状に存在する塗布識別符号を検出するためのセンサー装置（１１５）を有し、その際、このセンサー装置（１１５）が、主制御装置（１５０）及び/又は少なくとも一つのステーション制御装置（１６７）と連結され、およびデータ比較装置を有し、このデータ比較装置が、所定の製本ブロック（９６）の塗布識別符号と、これに分類される所定の表紙の塗布識別符号を互いに比較し、そして一致しない場合に警告信号を発生し、及び/又は、分類不可能な製本ブロック、及び/又は分類不可能な表紙をえり分けるための搬出装置を稼働することを特徴とする請求項３０または３１並びに請求項２８に記載の装置。
【請求項３５】
主制御装置（１５０）及び/又は少なくとも一つのステーション制御装置（１６０〜１６７）が、折畳まれていないおよび折畳まれた用紙（５２）、製本ブロック（９６）、および表紙並びに完成した本（１４）の追跡の為の少なくとも三つのシフトレジスタを有し、その際好ましくは、シフトレジスタの一つが、製本ブロック（９６）の為の塗布データを、そして他のシフトレジスタが表紙に対する塗布識別符号を含んでおり、およびその際、一方で、折畳まれていない用紙（５２）、折畳まれた用紙（５２）、及び/又は製本ブロックの追跡のためのシフトレジスタが、そして他方で、表紙の追跡のためのシフトレジスタが、同調され、この同調は、製本ブロック（９６）が、第六の搬送装置（１１６，１１８）によって、そして表紙が第七の搬送装置（１２０）によって、基本的に同時に、好ましくは同一のシフトレジスタサイクルで、表紙が上側に向き、そして基本的に製本ブロック（９６）の中央にあるよう、これに分類されたステーション制御装置（１６６）によって位置決め可能であるように行われることを特徴とする請求項３３または３４に記載の装置。
【発明の詳細な説明】
【技術分野】
【０００１】
本発明は、本、特にフォトブック及び/又は画像ブックの製造のための装置に関する。
【発明の概要】
【発明が解決しようとする課題】
【０００２】
本発明の課題は、上述した方式の装置によって、連続的な様々な、互いに直接連続する、レイフラットタイプの本（Lay-Flat-Bucher）、レイフラットタイプのフォトブック及び/又は画像ブックを製造する装置を完成させることである。
【課題を解決するための手段】
【０００３】
この課題は、本、特にフォトブック及び/又は画像ブックの製造の為の装置であって、長手方向に動作し、一方面に印刷され、及び/又はコーティングされ、及び/又は写真技術により処理され、及び印刷マークを有し、及び/又は印刷塗布コードを有する用紙ウェブを供給するための用紙ウェブ供給ステーション有し、この用紙ウェブ供給ステーションが、用紙ウェブを提供するための少なくとも一つの提供手段を有し、後置された用紙ウェブ貯蔵部を有し、及び、用紙ウェブを用紙ウェブの提供手段から引出し、用紙ウェブを用紙ウェブ貯蔵部に送るための第一の搬送装置を有し、用紙ウェブ供給ステーションに後置された横方向切断ステーションを有し、この横方向切断ステーションが、用紙ウェブ上に存在する印刷マーク、及び/又は印刷塗布コードを検出するためおよび検出の結果を表す出力信号を出力するためのセンサー装置を有し、用紙ウェブを動作方向において相前後して個別の用紙に切断するよう形成された、後置された横方向切断ユニットを有し、用紙ウェブを用紙ウェブ供給ステーションから、センサー装置の出力信号に応じて、断続的にかつフォーマット及び/又はインデックスに関し正確に横方向切断ユニットに送るための第二の搬送装置を有し、及び、個別の用紙を互いに所定の間隔で排出するための、横方向切断ユニットに後置された第三の搬送装置を有し、動作方向に対して横方向に、用紙の中央で筋付けを行いそして折畳む横方向ステーションに後置された筋付け及び折畳みステーションを有し、複数の互いに連続して折畳まれた用紙を互いに面で接続するための貼合せステーションを有し、この貼合せステーションが、折畳まれた用紙の上面の基本的に全面に接着剤の塗布を行うための接着剤塗布装置を有し、複数の用紙を製本ブロックを形成するために互いに積重ねるための積層装置を有し、および、最も上の折畳まれた各用紙を圧力によって、基本的に面で付勢するための押圧装置を有し、三方向切断ステーションを有し、この三方向切断ステーションが、選択されたフォーマットに応じて、本の背と反対側の、製本ブロックの前縁が、製本ブロックの動作方向に対して基本的に横向きに推移する定義された切断線上に来るように、製本ブロックを貼合せステーションから三方向切断ステーションへと送る第四の搬送装置を有し、切断線に沿って設けられた横方向ナイフを有し、および、製本ブロックの動作方向に対して基本的に横方向に互いに間隔を置いて設けられ、およびフォーマット調整の為に横方向に調整可能に設けらている二つの側方ナイフを有し、各製本ブロックに対して、それぞれ所定の個別の表紙を提供および供給するための、表紙提供ステーションを有し、この表紙提供ステーションが、表紙を提供するための提供手段を有し、および、表紙を提供手段から取り出すための第五の搬送装置を有し、および、本の背を形成する筋状の中央部分であって、二つの筋に境界づけされており、および表紙を二つの半分の部分に分割する中央部分を生じさせるために表紙に筋付けを行うための筋付け装置を有し、製本ブロックとこれに割り当てられる表紙を組み合わせるための、三方向切断ステーションに後置された組合せステーションを有し、この組合せステーションが、製本ブロックを組合せ位置に送るための第六の搬送装置を有し、第六の搬送装置が製本ブロックを、この接着剤塗布装置を通して動かす間に、接着剤を基本的に面で製本ブロックの両外側面にもたらす接着剤塗布装置を有し、個別の表紙を組合せ位置に送るための第七の搬送装置を有し、および、表紙の両半分の部分を、接着剤を着けられた、製本ブロックの外側面に固定し、本を完成させるための表紙固定装置を有し、および完成した本を取り出すための取り出し装置を有し、および、完成した本を放出するための放出ステーションを有し、好ましくは、これを後続する包装装置において有する装置によって解決される。
【０００４】
本発明に係る装置が、内容、紙枚数または頁枚数、およびフォーマットに何して様々な、そして直接連続するレイフラットタイプの本、特にレイフラットタイプのフォトブック及び/又は画像ブックであって、貼合せ結束を有するものの連続的な製造を可能とする。
【０００５】
レイフラットタイプの結束は、閉じられた状態の本の平らな形状と、容易なページめくりを可能とするのみでなく、本を開く際にページがアーチ状に盛り上がるもを防止する。レイフラットタイプの本を開く際には、そのページは、平らに開かれるので、本が開かれた状態で、二つの隣あるページは、基本的に共通の平面内に平らな状態で存在する。よって、レイフラットタイプのフォトブックまたは画像ブックにおいては、写真は問題なく中央に配置されることができ、そしてこのような形式のフォトブックまたは画像ブックは、隣り合う二つのページにまたがるようなパノラマ写真にもまた理想的に適している。
【０００６】
従来の背側の結束は、本発明によって完全に不要となり、このことは結束プロセスを大幅に簡易化する。
【０００７】
本発明に係る装置は、完全なレイフラットタイプの本の製造を一つの閉じられた方法連鎖内で可能とする。これによって、追加的な移送過程及び/又は方法間インターフェースおよびこれにお伴って場合によっては発生するエラー源、待ち時間および不具合品が、大幅に減少される。
【０００８】
本発明の有利な実施形および改良形は、従属請求項中に記載される。
【０００９】
例えば、横方向切断ステーション中の横方向切断ユニットが、回転可能に支承されたナイフキャリアを有し、このナイフキャリアにらせん状のナイフが設けられ、及び、位置固定に設けられた対向ナイフを有するということが可能である。特に、対向ナイフの静的な配置によって、この実施形はコスト面で安価な解決策に通ずる。それにもかかわらず、この解決策は、望まれるフォーマットの柔軟性を、不揃いに駆動されるナイフキャリアにおいても備えている。
【００１０】
更に、例えば、貼合せステーションは、製本ブロック中の接着材接続を冷却するための冷却装置を有することが可能であり、これは、好ましくはホットメルト接着剤からなる、製本ブロック中の接着剤の短い固結時間および冷却時間に基づいて、速い生産速度へと通じる。
【００１１】
表紙提供ステーション中においては、筋付け装置が、少なくとも一つの、好ましくは垂直に、可動に設けられた、筋付け刀状部材と、少なくとも一つの固定式に設けられた対向枠を有することが可能である。このような実施形は、特に異なる厚さ及び/又は長さ及び/又は幅寸法の場合に、表紙をこれに分類される個別の製本ブロックと組合せる前に、いわゆるオンラインでフォーマット調整を可能とする。
【００１２】
以下に、本発明の有利な実施形を添付の図面に基づき詳細に説明する。
【図面の簡単な説明】
【００１３】
【図１】フォトブックの製造の為の最も重要なステップを簡略的に記載する大まかなシーケンスダイアグラム
【図２】本発明の有利な実施形に従うフォトブック装置の簡略的ブロックダイアグラムを、オーバービューで表した図。
【図３】本発明の有利な実施形に従う図２のフォトブック装置の様々なモジュールの配置をブロックダイアグラムとして簡略的に表した図。
【図４】本発明の有利な実施形に従うフォトブック装置のモジュールのうち、用紙ウェブ供給ステーションと横方向切断ステーションを有する第一のモジュールの側面図。
【図５】本発明の有利な実施形に従うフォトブック装置のモジュールのうち、筋付けおよび折畳みステーションおよび貼合せステーションと冷却装置を有する第二のモジュールを簡略的に側面図で表した図。
【図６】フォトブック装置の第二のモジュール中に含まれる筋付けおよび折畳みステーションを、各段簡略個別図として側面図で表した図。
【図７】フォトブック装置の第三のモジュールを形成する三方向切断ステーションの機能および構成を簡略的に上面図として表した図。
【図８ａ】本発明の有利な実施形に従うフォトブック装置の第五のモジュール中に含まれる組合せステーションを、簡略的に側面図で表した図。
【図８ｂ】図８ａの組合せステーションを、図８ａに対して９０度回転させた側面図として簡略的に表した図。
【図９】図８ａおよび８ｂに従う組合せステーション中の作業シーケンスを、個々の作業ステップを同時に表すことにより斜視図そして表した簡略図。
【図１０ａ】フォトブック装置の駆動構成部分の第一の部分を簡略的にブロックダイアグラムとして表した図。
【図１０ｂ】フォトブック機械の駆動構成部分の第二の部分を簡略的にブロックダイアグラムとして表した図。
【発明を実施するための形態】
【００１４】
図中に表された設備において、フォトブック装置は、本発明の有利な実施形に従っており、この装置によって、互いに直接連続する、様々なレイフラットタイプのフォトブックが、貼合せ結束によって連続的に製造することができる。その際、これは内容、紙の数量または頁数量および所定の条件の基でフォーマットに対しても有効である。これと関係して、以下に記載されるフォトブック装置は、他の種類のレイフラットタイプの本、例えばレイフラットタイプの画像ブックに対しても使用することが可能である点、補足する。
【００１５】
レイフラットタイプの本においては、多数の折畳まれた用紙が、一つの積層物へとまとめられ、そしてその際、二つの隣り合う用紙の各二つの隣り合う半分の部分が、一つの頁へと互いに接着される。上述の積層物により形成される内側の製本ブロックの背は、その後、個々の用紙の隣接する折畳み角によって形成される。製本ブロックは、表紙を有しており、この表紙は代替的にカバーとも称される。用紙と、この用紙から形成される頁は、通常紙またはフィルムからできている一方で、表紙を製造するには、特に厚紙・ボール紙のような、より丈夫な材料が使用される。表紙は、中央に、互いに間隔を空けた二つの筋を有している。これら両方の筋は、これらの間に一つの狭い筋状の部分を形成し、これが本の背を形成する。これら両方の筋とその間に存在する狭い本の背部分の配置によって、表紙は、二つの半分の部分に分割され、これら半分の部分によって、表紙は、製本ブロックの外側面と接着される。その際、一方の半部の部分が本の前の表紙を形成し、表紙の他方の半分の部分が、本の後ろの表紙を形成する。表紙中の筋は、本を開く際にフィルムヒンジとして作用し、その際、両筋の間の、外側の本の背を形成する狭い筋状の部分は、本を開く間外側に向かって押される。
【００１６】
上述したレイフラット結束は、本を閉じた状態で平らな形状を可能とするのみでなく、本を開く際に頁がアーチ状となることを防止する。レイフラットタイプの本を開く際には、その頁は平らに開かれるので、本が開かれた状態で二つの隣り合う頁は、基本的に一つの共通の面内に平らな状態で存在する。よって、レイフラットタイプのフォトブックにおいて写真は、問題なく中央に位置することができ、そしてそのような形式のフォトブックは、隣り合う二つの頁にまたがるようなパノラマ写真にとっても理想的に適している。その上、レイフラットタイプの本の頁をめくるのは、基本的に簡単で、より優雅に行うことができる。
【００１７】
フォトブックの製造を明らかにするために、図１に、シーケンスダイアグラムによって最も重要なステップが記載されている。その際、フォトブック装置２が中央的な意味を有し、このフォトブック装置が、特に、ブロック４として表される機能「製本ブロックの製造」と、これに後続するブロック６として表される機能「表紙かけ」とを含んでいる。図１中においては、ブロック８は、表紙の提供および完成を表している。図１においては、表紙の提供および完成は、ブロック８によってフォトブック装置２の外側に表されているが、代替として、この表紙の提供と完成をフォトブック装置２の中に追加的に統合することもまた考え得る。
【００１８】
顧客特有のフォトブックは、同じ本を版の数をあげてシリーズとして多数製造するということではなく、「ユニーク品（Unikaten）」の製造することを意味する。このようなユニーク品は、内容、紙数量または頁数量に関して、および所定の条件の基でフォーマットに関して個別に異なる。したがってフォトブック装置２は、本から本へ対応する変更に対して運転中に反応することができるよう形成されている。フォトブック装置は、通常、写真ラボで使用される。この写真ラボに、顧客は自分の写真または画像を、特にテキスト表示、紙数量または頁数量、およびフォーマットといった他の情報と共に引き渡す。その際、画像と他の情報は、顧客によって所定のデータフォーマットで提供される必要がある。
【００１９】
適当なデータは、写真ラボの側からデータ処理をなされる。このデータ処理は、図１中ブロック１０によって表されている。引き続いて、写真の現像および露光が行われる。これは図１中ブロック１２で示されている。写真は、これに一義的に分類される印刷マークおよび塗布コードと共に、用紙ウェブ上にもたらされる。この用紙ウェブは通常フォトペーパーから成っており、そして巻付けステーションで一つのロールに巻き上げられる。このような用紙ウェブロールから、フォトブック装置２の製本ブロック製造４中に、適当な製本ブロックが製造される。しかし、フォトブックの内側の頁のみが顧客によって予め与えられる写真有するわけではなく、特に顧客によって予め与えられる写真による表紙の個別のデザインの追加的可能性もあるので、製本ブロック製造と同時に、これに分類される表紙の対応する製造もまた行われる。これは基本的にシンクロして行われる必要があり、そしてその際、図１のブロック６のステップ中に、正しい表紙が正しい製本ブロックと組み合わされ、これから、望まれるフォトブック１４が完成されるという点に注意を払う必要がある。
【００２０】
図２中には、ブロックダイアグラムの形式で、図１のフォトブック装置２のおおまかな構成が示されている。表されている実施例においては、フォトブック装置は、基本的に６つの構成グループまたはモジュール２１〜２６に分割される。これらのうち、最初の三つのモジュール２１〜２３が、製本ブロック製造４に分類され、そして後半の三つのモジュール２４〜２６が、ブロック６であらわされる機能「表紙かけ」に分類される。
【００２１】
最初のモジュール２１は、用紙ウェブの巻取り、対向折り（Gegenbrechen）および送り、並びに用紙ウェブを個々の用紙に切断するという機能が含む。第二のモジュール２２中では、ここの用紙が筋付けされ、折畳まれ、そしてのり付けが行われ（beleimt werden）、そして製本ブロックへと貼合せられ、および圧力がけされ、引き続いて冷却される。第三のモジュール２３中では、第二のモジュール２２から引き渡された製本ブロックが、望まれるフォーマットを造るために、三方向切断にさらされる。
【００２２】
第四のモジュール２４中では、表紙が固定されそして適当に向きを合わせられる。この表紙は、第三のモジュール２３より支給される製本ブロックに属する、つまりこれに分類されており、そして、基本的に各製本ブロックの製造と同時に完成されていたものである。それまでまだ準備されていた表紙が、同様にそれまでまだ対応して準備されていた分類される製本ブロックと組み合わせられるのは、第五のモジュール２５中で行われる。その際、表される実施例においては、製本ブロックが、分類される表紙中へと入れ込まれる。具体的には、ここで問題となっている有利な実施形においては、第五のモジュール２５中で製本ブロックが回転され、そしてその背が上方を向くよう調整される。これは、下からサドルプレートが製本ブロック中に進入する前に行われる。サドルプレートは、本の中で背の領域へと突っ込まれ、そして製本ブロックを上方への動作へと連行する。上方への動作の間、製本ブロックは接着剤塗布ステーションを通りぬけ、これによって製本ブロックの両方の外側面が、基本的に面で接着剤付与される。進行する上方への動作によって、製本ブロックは、その背が組合せ位置に到達する。この組合せ位置は、分類された表紙が中央でもたらされていた位置である。進行する上方への動作の際に、サドルプレートによって、製本ブロックは、その背が、表紙の中央に当接する。この表紙は、この時点で、未だ水平かつ平らに開かれた形状で存在している。さらに進行する上方への動作によって、表紙の両方の半分の部分は、接着剤付与された製本ブロックの両外側面の方向へと折り曲げられ、そしてこれと接着される。このことは、適当な押付けローラー（Anreibewalzen）によってサポートされる。その後、表紙を付与された製本ブロックは、引き続いて第五のモジュール２５中でさらに折畳み押圧過程（Falzpressvorgang）を通される。表紙と製本ブロックの組合せによって、基本的に完成された本が生ずる。この本は、搬送装置（Auslage）として設けられる第六のモジュール２６を介して、好ましくは、図示されていない後続する包装装置へと引き渡される。
【００２３】
フォトブック装置の図示されていない一つのバリエーションとして、ここで記載されるような、用紙ウェブがロールから巻き取られ、そして用紙へと切断される第一のモジュール２１の代わりに、代替としての第一のモジュール、いわゆるフィーダユニットが設けられることが、つまり、完全に印刷され、及び/又は露光され、及び/又はコーティングされた個別用紙が供給されるような場合、可能である。
【００２４】
具体的には、実施例においては、第五のモジュール２５中で製本ブロックが回転され、そして、下からサドルプレートが製本ブロック中へと進入する前に、その背が上を向くよう向きを調整される。サドルプレートは、本の中で背の領域へと突っ込まれ、そして製本ブロックを上方への動作へと連行する。上方への動作の間、製本ブロックは接着剤塗布ステーションを通りぬけ、これによって製本ブロックの両方の外側面が、基本的に面で接着剤付与される。進行する上方への動作によって、製本ブロックは、その背が組合せ位置に到達する。この組合せ位置は、分類された表紙が中央でもたらされていた位置である。進行する上方への動作の際に、サドルプレートによって、製本ブロックは、その背が、表紙の中央に当接する。この表紙は、この時点で、未だ水平かつ平らに開かれた形状で存在している。さらに進行する上方への動作によって、表紙の両方の半分の部分は、接着剤付与された製本ブロックの両外側面の方向へと折り曲げられ、そしてこれと接着される。このことは、適当な押付けローラー（Anreibewalzen）によってサポートされる。その後、表紙を付与された製本ブロックは、引き続いて第五のモジュール２５中でさらに折畳み押圧過程（Falzpressvorgang）を通される。
【００２５】
図３には、第六のモジュール２１〜２６が互いにどのように設けられるかが示されている。これによると、第一のモジュール２１、第二のモジュール２２、第三のモジュール２３、第五のモジュール２５、および第六のモジュール２６は、基本的に一列に配置される。矢印Ａは、移送もしくは搬送方向または紙走行方向を表す。この方向に、用紙ウェブ、用紙ウェブから切断される用紙、さらにこれから製造される製本ブロック、および完成された本が動かされる。矢印Ａに従う移送方向は、同時にプロセスの方向も形成している。矢印Ａの移送方向中においてみると、モジュール２１，２２，２３，２５および２６は連続している。このように形成される配置は、前方側２ａと後方側２ｂを有している。図３からさらにわかる通り、表紙の固定及び向き合わせのための第四のモジュール２４は、表される実施例においては、他のモジュール２１〜２３、２５および２６が形成する列の中に含まれておらず、第五のモジュール２５の領域で前方側２ａに配置されるので、表紙は、矢印Ｂで表されるように、矢印Ａに従う製本ブロックの移送方向に対して横から、第五のモジュール２５中へともたらされる。
【００２６】
フォトブック装置２は、特に調整作業およびメンテナンス作業の為に、前方側２ａを介して、オペレータが近づくことができる。フォトブック装置２のハウジングは、これに対応して、前方側２ａが開かれて形成されており、これによって、全てのモジュールに対して、重要な構成部材が到達可能である。もちろん好ましくは、前方側２ａは、透明なフード、フラップ及び/又はドアによって閉鎖可能であるべきでる。これと反対にフォトブック装置２の後方側２ｂは、基本的に閉じられた壁を有する。この壁は、好ましくは要求に応じ、ドアを有することも可能である。
【００２７】
さらに図３中には、アルファベット「Ｃ」によって表された、さらに別の破線が見て取れる。この線Ｃは、表されている実施例においては、用紙ウェブ、用紙、製本ブロックおよび完成した本の定義された案内および方向づけの為に使用される参照線である。その際、表されている図３の実施例では、参照線Ｃは、流上流に置かれる第一の部分Ｃ１と、流下流に置かれる第二の部分Ｃ２に分割されている。参照線Ｃの第一の部分Ｃ１は、第一のモジュール２１から第二のモジュール２２へ延び、そして一つの側方の参照線を用紙ウェブおよびこれから切断される用紙の長手側に定義する。図３から更にわかる通り、表されている実施例において、参照線Ｃのこの第一の部分Ｃ１は、フォトブック装置２の後方側２ｂに隣接している。参照線Ｃの第二の部分Ｃ２は、第二のモジュール２２から第三のモジュール２３、第五のモジュール２５を通って、第六のモジュール２６へと延び、そして、第一の部分Ｃ１と反対に、製本ブロックと完成した本の中央線に対する参照線を定義している。装置ゼロエッジ（Maschinennullkante）の形式のそのような参照線の使用は、ことなるフォーマットを有する用紙及び製本ブロックの移送および処理を簡単にする、というのは、そのような参照線によって、用紙および製本ブロックが、異なるフォーマットの場合も、処理の為に常に正確な位置をとるからである。
【００２８】
以下に、フォトブック装置２の有利な実施例の機能および構造を、添付の４から７並びに１０ａおよび１０ｂに基づき詳細に説明する。
【００２９】
図４には、第一のモジュール２１の構造が例示的に側面図として示されている。巻スピンドル３２に回転可能に支承されている用紙ウェブロール３０が見て取れる。この用紙ウェブロール３０は、上述した通り、すでに顧客特有の写真やその他の情報を有し、並びに、一義的にこれに分類可能な印刷マークおよび印刷塗布コードを有している。用紙ウェブロール３０から、図４には図示されていないが、図１０ａに簡略的に示された、巻スピンドル３２を適当に回転させる駆動装置３２ａと協力のもと、用紙ウェブが引き出される。この用紙ウェブは図４において参照符号「３４」でもって表されている。用紙ウェブロール３０から引き出された後、用紙ウェブ３４は、固定されたロール３６を中心として可動式のロール３８の方へ転向される。この可動式のロールは、アーム４０の自由端部に固定されており、該アームは、支点を中心として旋回可能に支承されている。支点は、表されている実施例においては、巻スピンドル３２の支店と一致している。アーム４０は、図示されていないばね、または同様の装置によって弾性的ながらたわみやすい状態でプリストレスを与えられており、詳しく言うと、これは図４の表現では時計回りである。このようにして用紙ウェブ３４中の引張応力は調整され、その際特に、引張応力が、最大値を越え、これによって用紙ウェブが避けそうになるのを防止している。したがってロール３８は、つまり引張応力調整機関を形成している。ロール３８の後、用紙ウェブ３４は、図４中には図示されていないが図１０ａ中に簡略的に示されているセンサー装置４１を通りすぎる。このセンサー装置は、例えば用紙ウェブ３４のウェブ速度の制御または調整のために使用される。そして、用紙ウェブ３４は、第一の延伸ローラー対４２を通りすぎる。この延伸ローラー対は、用紙ウェブ３４を用紙ウェブロール３０からの引出し、および用紙ウェブ３４を後続する用紙ウェブ貯蔵部４４へ送るために設けられており、そして図４に図示されていないが、図１０ａに簡略的に示される駆動装置４２ａによって駆動される。巻スピンドル３２の為の能動的駆動装置３２ａの代わりに、またはそのような駆動装置３２ａに追加的に、受動的な機械ブレーキ、または能動的な電気電動機ブレーキが設けられることが可能であり、これらは駆動装置３２ａの構成部材であることもまた可能である。積極的駆動装置３２ａの代わりに、唯一のブレーキが設けられる限り、用紙ウェブ３２の用紙ウェブロール３０からの引出は、第一の延伸ローラー対４２によって行われる。ブレーキの使用の際、特に受動的な機械ブレーキの使用の際、このようなブレーキは好ましくは、アーム４０を使用のもと制御されるべきである。
【００３０】
第一の延伸ローラー対４２は、用紙ウェブ３４の上に設けられた搬送ロール４２ｂと用紙ウェブ３４の反対側の面３４ｃの方を向いた下の搬送ロール４２ｃを有している。上の搬送ロールは、好ましくは、用紙ウェブ３４のコーティングを有する画像面または印刷面３４ｂと、転載の無い干渉を行うために、適当な非金属の表面を有していることが可能である。下の搬送ロールは、好ましくは滑らかな金属の表面を有している。図４中には更に、用紙ウェブのそのような移送を行うための、上の搬送ロール４２ｂと下の搬送ロール４２ｃの間の押圧力を調整するための調整手段４２ｄが示されている。
【００３１】
用紙ウェブ貯蔵部４４の作用は、表されている実施例においては、様々な長さまたは大きさのループを形成することにより生じる。このうち図４中には例示的にループ３４ａが見て取れるよう表されている。（一または複数の）ループ３４ａ形成の後、用紙ウェブ３４は、ロール４６を中心として転向され、そして第二の延伸ローラー対４８によって用紙ウェブ貯蔵部４４から引き出される。用紙ウェブ貯蔵部４４は、後続するプロセスを、用紙ウェブロール３０からの用紙ウェブ３４の供給部に対して切り離す、特に、後続するプロセスにおける処理速度と用紙ウェブロール３０からの供給速度の間の差を補うために使用される。
【００３２】
図４には図示されず、しかし図１０ａに簡略的にしめされている駆動装置４８ａによって回転させられる第二の延伸ローラー対４８は、用紙ウェブ３４を横方向切断ユニット５０へと搬送し、この横方向切断ユニット５０中で、用紙ウェブ３４は、矢印Ａの動作方向で相前後して位置する個々の用紙５２に切断される。第二の延伸ローラー対４８は、同様に上の搬送ロール４８ｂおよび下の搬送ロール４８ｃ並びに、上の搬送ロール４８ｂと下の搬送ロール４８ｃの間の押圧力の調整の為の調整手段４８ｄを有しており、その際、搬送ロール４８ｂ、４８ｃの表面の状態は、好ましくは第一の延伸ローラー対４２の搬送ロール４２ｂ、４２ｃと類似している、またはこれと同じである。
【００３３】
横方向切断ユニット５０は、回転可能に保持されたナイフキャリア５４と、位置固定式の対向ナイフ５５を有しており、このナイフキャリアに、図示されていないらせん状のナイフが保持されている。ナイフキャリア５４は、図４に表されていないが図１０ａに簡略的に示されている駆動装置５４ａによって、回転動作を与えられる。横方向切断ユニット５０を通り抜ける際に、用紙ウェブ３４のコーティングを有する画像面または印刷面３４ｂが、ナイフキャリア５４の方に上に向き、よって用紙ウェブ３４の画像面または印刷面３４ｂが上に向く。さらに、流上流、ナイフキャリア５４の前に、図４には同じく図示されていないが図１０ａに簡略的に示されるセンサー装置５５が、用紙ウェブ３４条に存在する印刷マークおよび印刷塗布コードの検出の為に設けられている。第二の延伸ローラー対４８は、センサー装置５５の出力信号に応じて、付設される駆動装置４８ａ（図１０ａ）から、断続的かつフォーマット及び/又はインデックスに関し正確に、横方向切断ユニット６０に向かって搬送される。
【００３４】
横方向切断ユニット５０の流下流には、吸引式ベルトコンベヤ５６が設けられている。その、エンドレスに走行する、図示されていない吸引開口部を有するコンベヤベルト５８は、切断された個別の用紙５２を、その画像面または印刷面を上にして横方向切断ユニット５０から引き取り、そして第一のモジュール２１から搬出する。図４および１０ａから更にわかる通り、吸引式ベルトコンベヤ５６は、コンベヤベルト５８を動かす駆動装置５９を有している。その際、吸引式ベルトコンベヤ５６のコンベヤベルト５８の加速度と搬送速度は、用紙５２が互いに所定の間隔で搬出されるよう調節される。
【００３５】
用紙５２は、第一のモジュール２１内の吸引式ベルトコンベヤ５６から、次々と、別のコンベヤベルト６０に引き取られる。このコンベヤベルトは、第二のモジュールの部材であり、その構造は図５に例示的に示されている。コンベヤベルト６０によって、用紙６０は相次いで筋付けおよび折畳みステーション６２へと至る。その構造は図６に例示的に詳細に表されている。図６には表されていないが、図１０ａに簡略的に示される駆動装置６４ａによって回転させられる延伸ローラー対６４による回収の後に、筋付けおよび折畳みステーション６２中で用紙５２は二つのスタンパー６６、６７を通される。両スタンパー６６，６７は、筋付けツールとして、用紙５２の中央に、矢印Ａに従う移送方向に対して横向きに走る筋を刻み込むために使用される。表される実施例では、下のスタンパー６７が静的に設けられる一方、上のスタンパー６６は、用紙５２の画像面または印刷面５２ｂの上方にある待機位置と、図６のように下にある作動位置の間で、可動に支承されている。このため上のスタンパー６６は、図６に表されていないが図１０ａに簡略的に示されている、用紙５２の中断の無い移送の為に、オーバーラップした往復動作および旋回動作を行う昇降駆動装置６６ａによって、適当に組み合わされた旋回動作および上昇動作および下降動作を行う。引き続いて、そのようにして中央で筋付けされた用紙５２は、移送ローラー６８および折畳みローラー７０ａからｃと干渉するに至る。移送ローラー６８と折畳みローラー７０ａからｃは、駆動装置６８ａ、７０ｄを有している。これら駆動装置は、図６には表されていないが、図１０ａに簡略的に示されている。さらに、筋付けおよび折畳みステーション６２は、センサー装置７１を有している。このセンサー装置は、図６には表されていないが、図１０ａに簡略的に示されており、そして特に、走行する用紙５２を検出し、これによって、このセンサー装置７１の計測結果に応じて、筋付けおよび折畳みステーション６２を適切に制御または調整する。
【００３６】
まず用紙５２は、両折畳みローラー７０ａ，ｂの間に引き込まれ、そしてこれらによって垂直に上へと搬送される。これによって用紙５２は、一方側のみが折畳みローラー７０ｃによって接触される。その際、用紙５２は、静止状態となり、そして折畳み刀状部材７２の先端７２ａによって付勢される。この折畳み刀状部材は、二重矢印Ｄの方向へ可動に、図示されていないユニットによって保持されており、図６には表されていないが図１０ａに簡略的に示されるリニア駆動装置７２ａによって適切な動作を与えられる。刀状部材７２は、ローラー７０ｂ、ｃの共通の干渉領域の方への動作によって、用紙５２は連行され、そして適切に折られるまたは折畳まれ、その際、画像面または印刷面５２ｂは、図６からわかるように、内側で接触するに至る。その際、用紙５２は、刀状部材７２がその先端７２ａでもって、それ以前に筋付け装置６６，６７によって刻み込まれた筋をとらえるよう合わせられる。これら筋が、したがって、折畳み刀状部材７２によって折畳まれる用紙５２の折角または折畳み角を形成する。これによって、用紙５２は、その両方の半分の部分が、重なり合っており、そして折畳み角５２ａが先行するよう折畳まれる。よって、その折畳み角５２ａが先行して、折畳まれた用紙５２は、両折畳みローラー７０ｂ、ｃを通され、後続するコンベヤベルト７３に引っ張られる。このコンベヤベルトは、図５には表されていないが、図１０ａに簡略的に示される７３ａによって動かされる。
【００３７】
さらに、筋付けおよび折畳みステーション６２は、ここに表される実施例においては、図示されてない搬出装置を有しており、この搬出装置は、ローラー６８、７０ａによって不具合を有する用紙を筋付けおよび折畳みステーション６２から搬出する。このことは破線であらわされた矢印Ｅによって示されている。不具合を有する用紙の検出の為に、同様に、上述したセンサー装置７１（図１０ａ）が使用され、そして搬出装置は、不具合を有する用紙を破線で示された矢印Ｅの方向へと搬出するために、センサー装置７１の出力信号に応じて適切に可動される。
【００３８】
図５から更にわかるように、コンベヤベルト７３は、第二のモジュール２２内で、筋付けおよび折畳みステーション６２を、流下流に位置する貼合せステーション７４と接続する。コンベヤベルト７３によって、今折畳まれた用紙５２は、その折畳み角５２ａを先行させて（図６）、矢印Ａの移送方向に接着剤塗布ステーション７６に向かって搬送される。この接着剤塗布ステーションは、貼合せステーション７４の流上流に位置する部分を形成する。接着剤塗布ステーション７６は、特に、図示されていない接着剤ノズルリップ（Leimdusenleiste）と移送ローラー８０を有する接着装置７８を有している。さらに、接着剤塗布ステーション７６は、少なくとも一対の送りローラーと接着剤塗布リップを有している。しかしながらこれは図５には表されていない。図５に表されていない折畳まれた用紙が、接着装置７８に設けられた接着剤ノズルリップの下に位置する移送ローラー８０と干渉するに至り、その下側面でもって移送ローラー８８０に載置された後、これは接着剤ノズルリップを通りすぎる。その際、用紙５２の、今や上側面を形成する、印刷されていない面５２ｃは、自由にとなり、よって妨害をうけることなく接着剤ノズルリップによって全面にわたって接着剤を与えられることができる。
【００３９】
接着剤ノズルリップまたは接着剤ノズルリップを有する全接着装置７８が、下側の作動位置と、上側の待機位置の間を移動可能であり、好ましくは旋回可能であるよう支承されている。これは図５には表されていない。このため、適当な駆動装置７８ａが設けられている。この駆動装置は図５には表されていないが、図１０ａに簡略的に示されている。接着剤ノズルリップは、フォーマット幅交換の為に、複数セグメントに分割される。これもまた、図５に表されていない。同様に、移送ローラー８０は、この位置において、接着装置７８の下側で、用紙の移送の為にその下側面と干渉する状態にすることができるという作動位置と、待機位置の間を移動可能であり、好ましくは旋回可能であるよう支承されている。これも図には表されていない。
【００４０】
接着材塗布ステーション７６は、更に、図５には同様に表されていないが、図１０ａに示されているセンサー装置８１を有しており、このセンサー装置が、用紙の到着と存在を検出する。そのようなセンサー装置８１による適切な信号に基づいて、接着剤を、折られた用紙の上側の半分の部分の表面に塗布するために、接着装置７８が相応して制御される。折畳まれた用紙が、特に移送ローラ８０によって駆動されて、その折られた上側の半分の部分の表面に接着剤を与えられる間、前述したセンサー装置８１が、後続する縁部と折られた用紙の端部を検出し、そして定義された遅延（Vorzoegerung）で、接着剤流の中断と接着装置７８の停止を開始する。その際、上述の定義された遅延は、用紙の折られた上側の半分の部分の表面が、完全に接着剤を与えられ、そして接着装置７８からの接着剤放出が、用紙の縁部領域における仮想線の到達の際に正確に停止するよう算定される。接着剤付与プロセスの停止の際に、接着装置７８または、その接着剤ノズルリップおよび移送ローラー８０は、それぞれその待機位置に移動され、または旋回され、そしてその際別々に動かされる。
【００４１】
図５から更にわかるように、移送ローラー８０の流下流には、斜めに下に向けられた吸引式ベルトコンベヤ８２が続いており、この吸引式ベルトコンベヤが、今、折られた上側の半分の部分の表面に接着剤を与えられた用紙を、接着剤塗布ステーション７６の領域の略水平の方向から、折畳み角を先行して、激しく下方に傾けられた方向へと移行させられる。吸引式ベルトコンベヤ８２は、図５には表されていないが、図１０ａに簡略的に示される駆動装置８２ａによって駆動される。その際、用紙は、流下流に位置する積層物形成ステーション８４の領域に至る。この積層物形成ステーション８４は、同様に、第二のモジュール２２中の貼合せステーション７４の部分である。
【００４２】
積層物形成ステーション８４は、表された実施例においては、昇降テーブル８６を有している。この昇降テーブルは、垂直方向に向けられているので、その上面は垂直な面を形成する。吸引式ベルトコンベヤ８２によって、折られ接着剤を与えられた用紙は、既に上述した傾けられた箇所に、折られた用紙の折られた上側の半分の部分の接着剤を与えられた表面が、昇降テーブル８６の方を向くよう整向される。折られた用紙の連続した供給によって、昇降テーブル８６の表面には、図に表されていない積層物が生ずる。このため、次々と供給され、すでに接着材を与えられた折られた用紙は、昇降テーブル８６の上で積重ねられる。昇降テーブル８６の表面が、積層物の、いわば底を形成するので、表されている実施例では垂直に向けられているが、積層物は、昇降テーブル８６の上に水平方向に発生し、よって水平ではなく、直立しているか、または縦に立っている。
【００４３】
新たに供給される折られた各用紙の接着剤を与えられた表面を、昇降テーブル８６に形成される積層物の、この時点までで最も上にある用紙と接着するために、新たに供給される用紙は、すでに形成された積層物に対して全面で抑えられるべきである。これは、表されている実施例では、水平方向に向けられた貼合せローラーまたは押圧ローラーによって行われる。これらローラーは、昇降テーブル８６の表面によって下から上へと動かされ、生地ローラーのように、各新しい用紙を積層物にこすりつける。
【００４４】
図５には、簡略的に複数の押圧ローラー８７が示されている。これら押圧ローラーは、図５には表されていない、閉じられた案内レーンに沿って可動に支承されている。このため、表された実施例においては、二つの互いに間隔をあけた搬送チェーンが設けられており、これらのうち、一方の搬送チェーンが、積層物形成ステーション８４の一方の側に、そして他方の搬送チェーンが、積層物形成ステーション８４の反対側の他方の側に設けられており、歯車によって案内される。図５には、見る者の側を向いた搬送チェーン８８が見て取れる。この搬送チェーンは、歯車８９によって案内され、かつここにおいて転向されている。両搬送チェーン８８の配置および推移は同一である。両搬送チェーン８８の間には、押圧ローラー８７が水平に設けられおり、これらは、自身の各端部でもって、図示されていない支承要素に支承されている。この支承要素は、これに分類される搬送チェーン８８に固定されている。
【００４５】
搬送チェーン８８は、周回動作を実施することができるよう、少なくとも一つの歯車８９が、図５には表されていないが図１０ａに簡略的に示される駆動装置８９ａによって回転させられる。図５に表されているように、周回運転は、時計回りと反対の方向に行われる。新しく供給される折畳まれた各用紙に対して、一つの押圧ローラー８７が提供（準備）されることにより、周回運転によって、連続的かつ完全に自動的な運転が実現される。隣接する二つの押圧ローラーの間の間隔と、少なくともフォトブック装置２の第二のモジュール２２内の作動ストロークは、新しく提供される各用紙に対して、次の押圧ローラー８７が提供（準備）されるよう、互いに依存して見積もられる、または調整される。
【００４６】
図５から更にわかるように、積層物形成ステーション８４は、昇降テーブル８６を水平な方向に調整し、よってその垂直な表面に対して直角となるよう調整するための、調整装置９０を有している。その際、昇降テーブル８６は、積層物形成の間、調整装置９０によって、積層物の上側が基本的に位置固定に留まるよう引き戻される。したがって昇降テーブル８６は、調整装置９０によって、積層物の厚さに応じて、および積層物の増加する高さまたは厚さに依存して、いわば連続的に積層物形成ステーション８４内に入り込み、よって図５の表現では左の方へとずらされる。よって、昇降テーブル８６の表面を介して案内される押圧ローラー８７の間隔は、それまでに形成された積層物の今現在の高さまたは厚さに応じて各個別に新たに調整されるべきではなく、すべての押圧ローラー８７に対して同様にとどまる一定の案内が十分であり、このことは、構造上のメリットであると同時に、常に同じである押圧力を可能とする。
【００４７】
積層物の完成の後、および上述した貼合せ過程の終了の後に、望まれる製本ブロックが製造される。これは、引き続いて貼合せステーション７４から搬送装置９１によって冷却ステーション９２へと引き渡される。搬送装置９１のうち、図５には周回するコンベヤベルトのみが、簡略的に表されている。実際には、搬送装置９１は、図示されていないが、追加的に更に一つのグラブを有しており、このグラブによって、完成された製本ブロックが昇降テーブル８６により受け取られ、そしてコンベヤベルト９１上に置かれる。
【００４８】
表されている実施例においては、同様に、フォトブック装置２の第二のモジュール２２の構成部材である冷却ステーション９２は、表されている実施例においては、複数のプレート形状のカセットを有している。これらのうち、図５には一つのカセット９４のみが示されている。例えば一つのグラブを有する図５に表されていない移送装置によって、製本ブロックが搬送装置９１からカセット９４に引き渡される。図５には、製本ブロック９６がカセット９４の下側に簡略的に示されている。
【００４９】
本実施例においては、閉じられた案内レーン９８に沿って複数のカセットが稼働に支承されており、その際、これらは基本的に互いに等間隔で配置されている。このため、適当な駆動装置９８ａが設けられている。この駆動装置は、図５には表されていないが、図１０ａに示されている。その際、表されている実施例においては、カセットは、図示されていない支承要素に掛けられている。これら支承要素は、例えばローラー者として実施され、案内レーン９８に沿って動く。掛けられた配置は、図５の示されるカセット９４に基づいて図５より見て取れる。図５に表されていない駆動装置によって、カセットは、その中にある製本ブロックと共に、案内レーン９８に沿った周回運転を行い冷却ステーション９２を通り抜ける。
【００５０】
冷却ステーション９２中における冷却のために、適当な複数の冷却ユニットが設けられる。これら冷却ユニットは図５には表されていない。冷却装置は冷却を行い、そしてその結果、製本ブロック中の接着剤の加速された硬化と凝固、さらにその接着貼合せに作用する、といのは本実施例においては、接着材塗布ステーション７６における接着剤として、熱間硬化接着剤またはホットメルトが用いられるからである。熱間硬化接着剤またはホットメルトによる貼合せおよび直後に続く冷却によって、短い凝固時間と、よって高い生産性が保障される。
【００５１】
冷却過程の終了の後、図示されていない移送装置によって、製本ブロックが相次いで吸引式ホルダーによって受け取られ、そして、矢印Ａの移送方向で見て、流下流に位置するフォトブック装置２の第三のモジュール２３に引き渡される。
【００５２】
好ましくは、冷却ステーション９２は、連続運転で作動する。この連続運転中、貼合せステーション７４から引き渡される製本ブロック９６が、搬送装置９１に隣接する箇所で相次いで吸引式ホルダー９４に引き渡され、そして案内レーン９８にそった図５の表現で時計回りの略完全な周回の後、反対側の箇所で製本ブロック９６は、吸引式ホルダー９４によって再び受け取られる。
【００５３】
図７は、フォトブック装置２の第三のモジュール２３を形成する三方向切断ステーション１００の有利な実施例の機能および構造を上面図として簡略的に示す。
【００５４】
三方向切断ステーション１００は、表されている実施例においては、一つのグラブを有しており、このグラブは、図７に簡略的に示され、参照符号「１０２」を与えられている。グラブ１０２は、その動作の為に、図７には表されていないが、図１０ｂに簡略的に示される付設された駆動装置１０２ａを有しているが、このグラブ１０２が、上述した図５には表されていない移送装置から製本ブロックを引き受ける。この移送装置は、第二のモジュール２２中の冷却ステーション９２を、第三のモジュール２３中の三方向切断ステーション１００と接続している。その際、到着した製本ブロック９６は、その先行する縁部９６ａでもってグラブ１０２と干渉する。この状況はステップＩとして図７に示されている。
【００５５】
グラブ１０２は、製本ブロック９６をタブレット形状の下敷き１０３の上へと引張りる。この下敷きは、表される実施例においては、三方向切断ステーション１００の一つの構成部材を形成している。その際、グラブ１０２は、図７にステップＩＩとして簡略的に表されるように、製本ブロック９６を下敷き１０３上の定義された位置へと送る。このため、用紙５２の折畳み角５２ａと重なる、製本ブロック９６の先行する縁部９６ａは、矢印Ａの動作方向に対して横方向に推移する定義された仮想の線上に位置するに至る。この線は、図には表されておらず、そしてフォーマットについて正確に、この線に対して平行に推移する仮想の、同様に図示されていない切断線に対して間隔をあけている。
【００５６】
図７および８から更にわかる通り、三方向切断ステーション１００は、横方向ナイフ１０４と二つの互いに間隔をあけた側方ナイフ１０６，１０７を有している。この横方向ナイフは、上述した仮想の切断線、つまり矢印Ａの移送方向に対して横向きに、基本的に下敷き１０３の全幅にわたって二重矢印Ｆの方向に延びる切断線を生じさせ、そして垂直に可動に支承されている。側方ナイフは、矢印Ａの移送方向に向けらており、同様に垂直に可動に支承されている。その上、互いに間隔をあけている両側方ナイフ１０６、１０７は、フォーマット調整の目的で、矢印Ａの移送方向に対して横向きに二重矢印Ｆの方向へと、下敷き１０３の幅にわたって調整可能に設けられている。図７には表されていないが、図１０ｂに簡略的に示された駆動装置１０４ａ、１０６ａおよび１０７ａは、ナイフ１０４、１０６、１０７を上側の待機位置から、下側の作動位置へと動かす、その際ナイフ１０４、１０６、１０７が効果的な切断の為に、下に向かって斜めに可動であるよう設けられている。その上、互いに間隔をあけた両側方ナイフ１０６、１０７のフォーマット調整を目的として横方向調整の為に、適当なリニア駆動装置１０６ｂ、１０７ｂが設けられている。これらは、図７には表されていないが、図１０ｂに簡略的に示されている。
【００５７】
製本ブロック９６が、図７のステップＩＩで示された位置９６へ運ばれた後、折畳み角５２ａから離れて位置する、余剰の後続縁部部分を製本ブロック９６から切り取るために、横方向ナイフ１０４が降ろされ、これによって製本ブロック９６は、図７の後続するステップＩＩＩに表されるように、定義された同じ形状の整ったエッジ９６ｂを有する。これによって製本ブロック９６は、望まれるフォーマット長さにされる。
【００５８】
横方向ナイフ１０４によって後続縁部部分を切り離した後、三方向切断ステーション１００内の製本ブロック９６は、グラブ１０２によって矢印Ａの移送方向に更に少し動かされ、これによって、図７のステップＩＩＩによって示されるように両側方ナイフ１０６，１０７の領域へと運ばれる。両側方ナイフ１０６，１０７が、望まれるフォーマット幅に調整された後、これらナイフは降ろされ、これによって、定義された同形状の整った側方エッジを形成するために、余計な側方縁部部分が製本ブロック９６から切り離される。前述した過程は、センサー装置１０８によって監視されている。このセンサー装置は、図７には表されていないが、図１０ｂに簡略的に示されており、その出力信号は、三方向切断ステーション１００の制御または調整のために使用される。
【００５９】
今や望まれるフォーマットにカットされた製本ブロック９６が、図７のステップＩＶに示されている。これによると製本ブロック９６の先行するエッジ９６ａは、処理されないままである、というのは、これは、いわば定義されたゼロ・エッジを形成し、折畳まれた用紙５２（図６）の折畳み角５２ａと重ね合わされるからであり、一方で、望まれるフォーマットを目指すために、残りの三つの縁部は、ナイフ１０４，１０６および１０７によって三方向切断ステーション１００中で適切に切断される。
【００６０】
このようにして今や望まれるフォーマットに切断された製本ブロック９６は、引き続いて第五のモジュール２５に引き渡される。この第五のモジュール中で、製本ブロックは、その間第四のモジュール２４中で準備されていた表紙と組み合わせられる。製本ブロックとこれに分類される表紙の「ペアリング」は、よって、完成されたフォトブック１４（図１）を形成し、そして第六のモジュール２６を介してフォトブック装置２から排出される。
【００６１】
第三のモジュール２３から吐き出される製本ブロックに属する、つまりこれに分類される表紙であって、基本的に製本ブロックの製造と同時に完成される表紙の向き合せおよび固定の為に、表紙提供ステーションとして形成された第四のモジュール２４内には、特にリニア駆動装置１１２および昇降駆動装置１１４、並びに、特に表紙上に存在する塗布識別信号の検出と、場合によっては、表紙の位置および無機の検出の為のセンサー装置１１５が設けられている。
【００６２】
以下に、製本ブロックと表紙の組合せの為の装置を、図８ａおよび８ｂに基づき、同時に作動シーケンスを説明しつつ、図９に簡略的に示されるように、記載する。図の表現では、紙走行方向または搬送方向若しくは移送方向およびプロセス方向が、左から右へと推移する。これは矢印Ａにより示されている。
【００６３】
特に図８ａおよび９からわかるように、製本ブロック９６は、水平な向きで私たちの方へと、よって水平な搬送面内をこちらに近づいて移送される。その際、製本ブロック９６は、まず、その背９６ａが先行して動く。この背は、個々の層の重ね合わされた折畳み線から形成される。この移送状態は、図９中に位置ＩおよびＩＩにより見て取れる。移送は、図示されていない搬送手段によって行われる。この搬送手段は、例えば終わりなく周回するコンベヤベルトを有していることが可能である。製本ブロック９６は、図９ａに示される旋回／回転ユニット１１６に引き渡される。旋回／回転ユニット１１６は、製本ブロック９６を位置ＩＩにおいてとらえ、これを９０度回転するので、この製本ブロックは、その背９６ａが、図９に示される位置ＩＩＩから分かるように、当接角６に当接する。当接角の当接によって、製本ブロック９６はその背９６ａでもって、いわゆる装置ゼロエッジに対して向けられる。この装置ゼロエッジは、表されている実施例においては、当接角によって形成されており、このようにして、異なるフォーマットを有する製本ブロックが、常に同じ装置ゼロエッジに位置することができるということが可能である。
【００６４】
当接角にそって、その背でもってそこに当接する製本ブロック９６は、矢印Ａの移送方向で、図９に示される位置ＩＶにスライドされる。これは、例えば、旋回／回転ユニットが適当にスライド可能に支承されているとき、この旋回／回転ユニット１１６によって行われることが可能である。
【００６５】
図９の位置ＩＶへの移動によって、製本ブロック９６は、配置台上へと送られる。この配置台は、この時点において水平な位置にあり、その後垂直な方向へと９０度上に立てられる。図８ａには、この配置台が、参照符号「１１７」を付され、すでに上に立てられた位置で見て取れる。図８ａから更に見て取れるように、配置台１１７は二つの側方枠を有している。これらは、矢印Ａの移送方向に延び、そして互いに間隔をあけている。これら両側方枠は、製本ブロック９６を矢印Ａの移送方向に対して横向きに固定するために、配置台１１７に受け入れられる製本ブロック９６の側方縁部へのストッパーとして使用される。異なるフォーマットを有する製本ブロック９６の異なる幅に関して、（図８にしたがい下側の）側方枠は、配置台１１７の表面に沿って、矢印Ａの移送方向に対して横向きにスライド可能に設けられている。
【００６６】
（図８ａの上側の）側方枠は、表されている実施例においては、配置台１１７に静的に固定されており、その際、配置台１１７がその水平な姿勢、つまり製本ブロック９６が配置台１１７上の図９に従う位置ＩＶに取り入れられる姿勢にあるとき、これら側方枠が、上述した当接角を一列にならべる、または当接角の一部分を形成するよう、側方枠は設けられ向き合せされている。配置台を、図８ａに示される直立した姿勢となるよう上に立てることによって、配置台１１７上に存在する製本ブロック９６は、同様に垂直にたてられた位置へともたらされ、この位置が図９において符号「Ｖ」によって表されている。製本ブロック９６が、旋回動作の間や配置台１１７が立てられた姿勢にあるときも、これらに固定されるよう、配置台１１７は、製本ブロック９６の解除可能な配置台１１７の表面への固定の為に、さらに図に表されていない、ロック手段または（例えばクリップの形式の）干渉手段を有している。
【００６７】
表されている実施例においては、配置台１１７は、上述した方法で旋回可能であるのみならず、矢印Ａの移送方向へ直線的にも可動に支承されており、これによってこの配置台は、刀状部材ケース１１９の方向へスライドされることが可能である。旋回動作と直線的動作は、図には表されていない駆動装置によって発生される。図８ａには、刀状部材ケース１１９に直接隣接する位置の配置台が示されている。刀状部材ケース１１９は、幅の狭いケースであり、直立または垂直に設けられており、およびその垂直面に対して平行に延在している。この垂直面は、配置台１１７によって、図８ａに従う、その直立した位置に拡げるられている。刀状部材ケース１１９は、基本的に二つのプレートから成っており、これらプレートの小さい方の間隔は、これらの間に刀状部材１１８が収容されることができるよう、基本的に互いに寸法決めされている。刀状部材１１８は、刀状部材ケース１１９と同じ垂直な仮想面内に設けられており、レールシステムにそって垂直な方向へ可動に支承されている。刀状部材１１８の上昇および降下は、同様に図には表されていない駆動装置によって、レールシステムに沿って行われる。図８ａには、刀状部材１１８がその下側の位置で示されている。刀状部材が、その上り下り動作の間に、刀状部材ケース１１９を通って走行することができるように、その下側の縁部１２ａとその上側の縁部は開いており、および適当なスリット形状の開口部を形成する。
【００６８】
図示されていないフィンガー部によって、製本ブロック９６が、配置台１１７における位置Ｖから刀状部材ケース１１９上の位置ＶＩへと動かされる。図９における位置ＶとＶＩの比較から分かるように、これらは、同一の仮想面内に存在し、この仮想面内で、製本ブロック９６が、適当に矢印Ａの移送方向で、刀状部材ケース１１９へとスライドされる。その際、刀状部材ケース１１９の配置台１１７の方を向いた側方の縁部は、製本ブロック９６内の二つの頁の間の中央に入り込むので、製本ブロックは、位置Ｖにてその一方の半分の部分が、刀状部材ケース１１９の一方の側、そしてその他方の半分の部分が、刀状部材ケース１１９の他方の側に接するに至る。この押し開け動作の間に、本の頁の自由な縁部が、配置台１１７の方を向いた刀状部材ケース１１９の側方縁部により損傷受けるのを防止するために、刀状部材ケース１１９のこの側方縁部は、図８ａに従い表された実施例においては、垂直に対して傾いて形成されており、これによって徐々に穏やかに刀状部材ケース１１９が、その側方縁部でもって製本ブロック９６内に入り込むことが保障される。製本ブロックの内側の頁の、特に背の領域にマークやその他の損傷がつくのを防止するために、製本ブロック９６の押し開き動作の間、配置台１１７に設けられた（図８ａの起立した位置における下側の）側方枠によってのみでなく、刀状部材ケース１１９に設けられる枠形状の支持部（Auflage）によってもサポートされている。このことは図８ａから更に見て取ることができる。その際、支持部は垂直な方法へ調整可能に支承されており、ある高さに調節され、この高さにおいて、支持部は（図８ａに従う配置台１１７の垂直な位置の下側の）、配置台１１７の側方枠と一列に並んでいる。その際、静的な側方枠８ａの配置台１１７における配置と、調整可能な側方枠８ｂの配置台における配置と、同様に調整可能な支持部１７の刀状部材ケース１１９における配置は、製本ブロック９６の背９６ａが、刀状部材ケース１１９上で刀状部材ケース１１９の上側の縁部１２ｂによって、所定の垂直方向間隔に押し開かれ、刀状部材ケース１１９の上側の縁部１２ｂが、製本ブロック９６の内側のマークやその他の損傷の原因となることを防止するようにされている。配置台１１７における側方枠のように、フォーマット交換の際には同様に、刀状部材ケース１１９の支持部もまた、矢印Ａの移送方向に対して直角に垂直方向の調整を行われる。好ましくは、刀状部材ケース１１９の両外側面のそれぞれが、枠形状の支持部を有しており、その際、両支持部が垂直方向に同期して調整可能であり、およびその際、常に同じ垂直方向の高さに存在する。
【００６９】
更に、配置台８の配置および向きは、図８ａに従うその起立した位置において、刀状部材ケース１１９に対して、この配置台が、位置Ｖから位置ＶＩへと刀状部材ケース１１９へスライドされたとき、刀状部材ケース１１９が、その側方縁部でもって製本ブロック９６の中へ中央にて入り込むようにされている。異なる厚さを有する製本ブロックまたは本が処理されることができるように、配置台１１７は、更に、図８ａに従うその起立した位置において、矢印Ａの移送方向に対して追加的に横方向にも調整可能であるよう支承されている。このようにして、最後の自由度、つまり製本ブロック９６の厚さのバリエーションもまた克服されることができる、というのは、配置台１１７が、上述した、図８ａに従う起立した位置の横方向調整によって、製本ブロック９６の厚さに関してある種の平均値形成を行うからである。
【００７０】
刀状部材ケース１１９上の位置ＶＩにおける製本ブロック９６の配置の後、刀状部材１４は、図８ａに示された下側の位置を去り、刀状部材ケース１１９を通って上に向かって走行し、そして、刀状部材ケース１１９の上側の縁部１２ｂに突出する（austretenden）その上側の縁部でもって、製本ブロック９６の内部の背９６ａの内側へと入り込み、製本ブロック９６を、進行する上への動作の際に相応して連行し、そしてこれによって刀状部材ケース１１９から垂直な方向へ持ち上げる。
【００７１】
図８ａおよび８ｂから更にわかるように、刀状部材ケース１１９の上には固定ステーション１８が存在している。この固定ステーションの課題は、表紙を、製本ブロック９６と組合せ、適当に向き合せを行い、そして固定することにある。このような表紙は、特に図９中に表されており、符号「２００」を付されている。製本ブロック９６の供給と基本的に同時に行われる表紙２００の供給は、表されている実施例のにおいては、図ＶＩＩおよびＶＩＩＩが示すように、図４ａおよび４ｃにおける各表紙２００が合わらされている側から行われる。供給が行われる間、および図９に示される位置ＶＩＩおよびＶＩＩＩ並びにＩＸにおいて、好ましくは厚紙または少なくとも厚手の紙層からなる表紙２００は、平らに開かれた形状を取る。
【００７２】
図示されていない搬送装置によって供給位置ＶＩＩから位置ＶＩＩＩへ運ばれた後、表紙２００は、二つの互いに間隔をあけており、かつ互いに平行に配置される溝枠に対して中心を合わせて向き合せされる。これは、その後、二つの互いに間隔をあけた、表紙２００の長手方向延在に対して横向きに中央に推移する溝を形成するために、表紙２００の表面に印刷される。溝枠１２２は、図示されていない適当な操作装置によって動かされおよび駆動される。図８ｂおよび９より更にわかる通り、表紙２００がその位置ＶＩＩおよびＩＸに存在する面の下側、よって表紙２００の下側に対抗枠１２３が設けられている一方で、溝枠１２２は、この面の上側、よって表紙２００の上側に設けられている。対向枠１２３は、溝枠１２２に対して平行に延在し、そしてこれらの中央に位置している。対向枠１２３は、昇降駆動装置２３ａによって持ち上げられ、および降下される。そして第一に、溝枠１２２に対するある種の基部として使用され、他方で、図示されていない溝を表紙２００の内側面の中央に刻印するために使用される。溝枠１２２によって、図９の位置VIIIにおいて表紙２００に、溝が、初めて刻印されるか、または、先行する作業ステップ中にすでに適当な溝が表紙２００に作成されている場合は、これら溝がさらに強くはっきりと形づけられる。表紙における溝の形成または形付は、製本ブロック９６とこれに分類される表紙２００を組み合わせる前の準備処理を意味する。よって、溝２０ａは、特に、表紙２００におけるフィルムヒンジの形式のヒンジを形成するために使用され、一方では、目的にかなった正確な位置の表紙かけを、製本ブロック９６との組み合わせの間に行い、他方では、完成した本を開いたり閉じたりするのを簡単にする。
【００７３】
特に図８ａおよび８ｂからわかるように、刀状部材ケース１１９の直接上側に、接着剤付与ステーション１２１が設けられている。刀状部材１４が、その上への動作の間に、刀状部材ケース１１９の上側の縁部から突出するとき、その時まで未だ刀状部材ケース１１９の位置ＶＩに置かれている製本ブロックは、刀状部材１１８によって連行され、そして相応して持ち上げられる。このストローク動作の間、製本ブロック９６は、まず接着剤塗布ステーション１２１を通り抜け、そしてその両外側面を全面にわたって接着剤塗布される。刀状部材１１８がこれに沿って移動し、製本ブロック９６を上の方向へ相応して連行する垂直な経路または垂直な面は、図２に参照符号「Ｚ」を付された破線として示唆されている。表された実施例においては、接着剤付与ステーション１２１は、搬送面または搬送経路Ｚの両側に設けられる二つの装置を有している。これら装置は、接着剤塗布ローラー、この接着剤塗布ローラーと接触する別の分配ローラー、および接着剤を有し、両ローラーを収容している槽からなっている。これら装置の両方、または少なくとも接着剤塗布ローラーが、この位置においては、これらが接着剤付与過程のために、接着剤塗布ステーション１２１を上に向かって通り抜ける製本ブロック９６の外側面に接触する位置へ動かされることができるという作動位置と、この位置においうては、両接着剤塗布ローラーが、作動位置においてよりも互いに大きな間隔をあけて位置するという待機位置との間を移動可能であるので、接着材塗布ステーション１２１を、特に下流の方向へと通り抜ける製本ブロックに対する接着剤塗布は行われない。
【００７４】
特に図８ａおよび８ｂから分かる通り、接着剤付与ステーション１２１の上には、いわゆる押付けステーション２８が存在しており、この押付けステーションの中に、接着剤塗布ステーション１２１を去った後、垂直は搬送面または垂直な搬送経路Ｚにそって進行する上への動作の間に製本ブロック９６が運び込まれる。この進行する上への動作またはストローク動作の間に、製本ブロックは、その先行する背９６ａでもって、後に本の背を形成する、表紙２００の中央の筋状の部分２０ｂに当接するに至る。これは、特に図９において表された位置ＩＸに存在し、よって平らに開かれて水平な向きにあり、そして、接着剤塗布ステーション１２１にわたって、垂直な搬送経路または垂直な搬送面Ｚに関して中心を合わせられて存在する。製本ブロック９６が、上への動作を進めている間、この製本ブロックは、表紙の中央の筋状の部分を連行し、一方で、組合せステーション２８内の図示されていない干渉手段が、進行する製本ブロック２０の上への動作によって、この時点まで位置ＩＸにあった表紙２００の両方の半分の部分を、製本ブロック９６の外側面にあてがうということを行う。上への動作は、組合せステーション内で、図９に位置Ｘとして表された上側の位置に到達されるまで行われる。固定ステーションは、さらに二つの互いに間隔をあけた押付けローラーを有している。さらに、いわゆる一つの背枠が設けられている。この背枠は、水平ない方向を向き、そして案内装置の上端部に位置している。案内装置によって、背枠は、両押付けローラーの間で垂直な方向を移動可能である。
【００７５】
図８ａ、８ｂおよび９において、押付けローラーは、その上側の位置で示されている。表紙２００の両半分の部分が、製本ブロック９６の接着剤を与えられた外側面に、より良好に付着するよう、押付けローラー３０が、表紙２００の折倒された両方の半分の部分の外側面に当接させられる。このため、両押付けローラーは、図９に従い上側の位置Ｘに存在し、および表紙２００を有している製本ブロック９６、つまり表紙２００といわば一組の「本」を形成している製本ブロックを、上から取り囲む。引き続く、垂直方向の下への動作の間、両押付けローラーは、本の外側面に沿ってころがり降り、そして同時に圧力を、表紙２００の半分の部分に及ぼし、製本ブロック９６との効果的な、気泡を含まない、高品質の接着に対して作用する。
【００７６】
製本ブロック９６が、今まさに表紙２００を有し、上側の位置Ｘに達し、そして上述した押付けローラーによる押付け過程を終えた後、刀状部材１１８の動作方向が逆転される。この刀状部材が、引き続いて、製本ブロック９６を運ぶ、または上側の位置Ｘにおいて製本ブロック９６とこの上にある表紙２００からなる本を運ぶ。動作方向の逆転は、表されている実施例において刀状部材１１８が、同一の垂直な搬送経路または同一の垂直な搬送面Ｚを降下するという結果を生む。よって、本は、いわば逆方向に押付けステーションを去り、そしてまた逆方向に接着剤付与ステーション１２１を通り抜ける。その間、押付けステーションの押付けローラーも、接着剤付与ステーション１２１の接着剤塗布ローラーも、下への動作を妨げないよう、そして望まれないさらなる接着剤塗布を防止するよう開かれている。
【００７７】
進行する下降または上昇動作において、本が下側の位置ＶＩに到達し、その際再び刀状部材ケース１１９上に、今度は上からきて降ろされる一方で、刀状部材１１８は、図８ａに示された下側の位置に到達するまで、刀状部材ケース１１９内に更に進入する。下側の位置ＶＩにおいて、刀状部材ケース１１９に両側で当接する本は、再び、その下の方を向いた自由な縁部を支持部によって、本がその背でもって刀状部材ケース１１９の上の縁部に載らず、これから開放されており、よって刀状部材ケース１１９の上の縁部の、本の内部との干渉が排除されているよう支持されるので、本を刀状部材ケース１１９から取り出す際、本の内部にマークや他の損傷が発生する危険性が無い。
【００７８】
更に図１０ｂに簡略的に表されるように、モジュール２５は、供給される製本ブロック９６をその水平な向きから、背を上に向けて起立した状態にたてるために、旋回／回転ユニット１１６の為の駆動装置１１６ａを有する。その後製本ブロック内に進入する刀状部材１１８の、上方向および下方向への動作の為に、適当な駆動装置１１８ａが設けられている。表紙２００の向き合せのために、組合せステーション１２０は、駆動装置１２０ａにより駆動される適当な装置を有している。表紙の筋付けのために、相応して、これに適した枠形状の筋付けツールが設けられており、この筋付けツールのうち例示的に一つの溝枠１２２が簡略的に示されている。この溝枠は、これに付随する昇降駆動装置１２２ａによって相応する直線的動作を実施される。製本ブロックがこれに分類される表紙を有する状態の完成された本の取り出しと搬出の為に、第五のモジュール２５内の組合せステーション内で、図示されていない挟持搬送装置が使用される。その駆動装置は、図１０ｂに簡略的に示され、そして参照符号「１２４」を付されている。図１０ｂから更に簡略的にわかるように、フォトブック装置２の第五のモジュール２５は、さらに、これに分類される昇降駆動装置１２６ａにより操作される折畳みプレス１２６を有している。
【００７９】
仕上げられたフォトブックの出力は、第六のモジュール２６内に設けられる、図示されていない供給搬送器によって行わる。これに分類される駆動装置は図１０ｂに簡略的に示され、参照符号「１３０」を有している。
【００８０】
図１０ａおよびｂから更にわかるように、個々の駆動装置はそれぞれ、これに分類される駆動装置制御装置１４０に接続されている。駆動装置制御装置１４０を介して、各分類される駆動装置がそれぞれ独立して制御可能、または調整可能である。
【００８１】
センサーまたはセンサー装置４１，５５，７１，８１，１０８，１１５および１２７並びに個々の駆動装置制御装置１４０が、共通して一つのバスシステム１４２を介して互いに連結されており、このバスシステムに、追加的にさらにもう一つの、上位に置かれる主制御装置１５０が接続されている。この主制御装置は、図１０ａに表されている。図１０ａから更にわかるように、主制御装置１５０にもまた、操作および表示ユニット１５２、塗布制御装置１５４、および図示されていない更なる処理装置の為の制御装置１５６が接続されている。
【００８２】
センサー装置４１および５５の少なくと一方は、用紙ウェブ３４上に存在する（図には表されていない）印刷マークおよび印刷塗布コードの検出のために設けられ、その際、印刷マークおよび印刷塗布コードは、塗布データを有している。この塗布データは、バスシステム１４２および主制御装置１５０を介して、上位に置かれる塗布制御装置１５４により呼び出され、そして好ましくは、塗布識別符号、用紙寸法および製造すべき製本ブロックの頁数を含んでいる。主制御装置１５０及び/又は塗布制御装置１５４内には、データ比較装置が設けられている。このデータ比較装置は、所定の製本ブロックの塗布識別符号とこれに分類される所定の表紙の塗布識別符号を互いに比較し、そして一致しない場合、警告信号を発生する、及び/又は、第五のモジュール２５内に含まれる、分類されていない製本ブロックをえり分けるための搬出装置が、分類されていない製本ブロック及び/又は分類されていない表紙をえり分けるために稼働される。
【００８３】
図１０ａおよび１０ｂから更にわかるように、第一の延伸ローラー対４２及び巻ほどきの各駆動装置３２ａ、４２ａの為の駆動制御装置１４０が、用紙ウェブロール３０から用紙ウェブ３４を引き出すためのステーション制御装置１６０に、そして第二の延伸ローラー対４８、横方向切断ユニット５０および吸引式ベルトコンベヤ５６の駆動装置48ａ、５４ａおよび５９の為の駆動装置制御装置１４０が、横方向切断ステーション５０（図４）の為のステーション制御装置１６１に、第一のモジュール２１内でまとめられ、または分類されている。第三の延伸ローラー対６４、筋付けツールとして設けられる上側のスタンパー６６、移送ローラー６８、折畳みローラー７０ａから７０ｃ、及び折畳み刀状部材７２の駆動装置６４ａ、６６ａ、６８ａ、７０ｄおよび７２ｂの駆動装置制御装置１４０は、筋付けおよび折畳みステー書６２（図５，６）の為の一つのステーション制御装置１６２に、コンベヤベルト７３、接着装置７８および吸引式ベルトコンベヤ８２の駆動装置７３ａ、７８ａおよび８２ａの駆動装置制御装置１４０は、接着剤塗布ステーション７６（図５）の為の一つのステーション制御装置１６３に、そして搬送チェーン８８，８９の駆動装置８９ａおよび９８ａの為の駆動装置制御装置１４０は、貼合せおよび冷却ステーション８４，９２の為の一つの共通なステーション制御装置１６４に、第二のモジュール２２内でまとめられまたは分類されている。挟持搬送装置１０２、横方向ナイフ１０４および側方ナイフ１０６，１０７の駆動装置１０２ａ、１０４ａ、１０６ａ，１０６ｂ、１０７ａ、１０７ｂの為の駆動装置１４０は、フォーマット焼成装置と共に、三方向切断ステーション１００（図７）の為の一つのステーション制御装置に第三のモジュール２３ないでまとめられまたは分類されている。旋回装置１１６、サドルプレート１１８、搬送装置１２０、筋付けツール１２２、挟持搬送装置１２４、及び折畳みプレス１２６の駆動装置１１６ａ、１１８ａ，１２０、１２２ａ、１２４ａおよび１２６ａの為の駆動装置制御装置１４０は、組合せステーションを有する第五のモジュール２５の為の一つのステーション制御装置１６６に、そしてリニア駆動装置１１２および昇降駆動装置１１４の為の駆動装置制御装置１４０は、用紙表紙固定ステーションを含む第四のモジュール２４の為の一つのステーション制御装置１６７にまとめられまたは分類される。
【００８４】
主制御装置１５０、駆動装置制御装置１４０およびステーション制御装置１６０から１６７は、自動的な中断の無いフォーマット交換の為に形成され、および調節されている。
【００８５】
主制御装置１５０及び/又は少なくとも一つのステーション制御装置１６０から１６７は、少なくとも三つの図示されていない折畳まれていないおよび折畳まれた用紙５２、製本ブロック９６、および表紙並びに完成した本の追跡の為のシフトレジスタを有している。その際、シフトレジスタの一つは、表紙の為の塗布データを有し、そして他のシフトレジスタは、表紙の為の塗布識別符号を含んでいる。一方で、折畳まれていない用紙５２、折畳まれた用紙５２の追跡の為のシフトレジスタが、及び/又は、他方で、表紙９６の追跡の為のシフトレジスタが、第五のモジュール２５の組合せステーション内で、製本ブロックと表紙を基本的に同時に、好ましくは同一のシフトレジスタサイクルないで、表紙を上に向け、および基本的に製本ブロックの中央に来るように、ステーション制御装置１６６によって位置決めされる。
【符号の説明】
【００８６】
2  フォトブック装置
4  「製本ブロック製造」機能を有するブロック
6  「表紙かけ」機能を有するブロック
8   表紙の提供および完成のブロック
10  データ処理ブロック
12  写真の現像および露光ブロック
14  フォトブック
21-26  モジュール
2a  前方側
2b  後方側 
30  用紙ウェブロール
32  巻スピンドル
34  用紙ウェブ
36  位置固定式のローラー
38  可動式のローラー
40  アーム
41  センサー装置
42  第一の延伸ローラー対
44  用紙ウェブ貯蔵部
46  ローラー
48  第二の延伸ローラー対
50  横方向切断ユニット
52  用紙
54  ナイフキャリア
55  対向ナイフ
56  吸引式ベルトコンベヤ
58  コンベヤベルト
59  駆動装置
60  コンベヤベルト
62  筋付けおよび折畳みステーション 
64  第三の延伸ローラー対
66, 67  スタンパー
68  移送ローラー
70a-70c  折畳みローラー
71  センサー装置
72  折畳み刀状部材
72a  先端
72b  リニア駆動装置
73  コンベヤベルト
74  貼合せステーション
76  接着剤塗布ステーション
78  接着装置
80  移送ローラー
81  センサー装置
82  吸引式ベルトコンベヤ
84  積層物形成ステーション
86  昇降テーブル
87  押圧ローラー
88  搬送チェーン
89  歯車
90  調整装置
91  搬送装置
92  冷却ステーション
94  カセット
96  製本ブロック
98  案内レーン
100  三方向切断ステーション 
102  グラブ
103  下敷き
104  横方向ナイフ 
106, 107  側方ナイフ
108  センサー装置
112  リニア駆動装置
114  昇降駆動装置
115  センサー装置
116  旋回／回転ユニット
117  配置台
118  刀状部材
119  刀状部材ケース
120  組合せステーション
121  接着剤付与ステーション
122  溝枠
123  対向枠
124  挟持搬送装置
126  折畳みプレス
127  センサー装置
140  駆動装置制御装置
142  バスシステム
【図１】
2012218445.tif 000003
【図２】
2012218445.tif 000004
【図３】
2012218445.tif 000005
【図４】
2012218445.tif 000006
【図５】
2012218445.tif 000007
【図６】
2012218445.tif 000008
【図７】
2012218445.tif 000009
【図８ａ】
2012218445.tif 000010
【図８ｂ】
2012218445.tif 000011
【図９】
2012218445.tif 000012
【図１０ａ】
2012218445.tif 000013
【図１０ｂ】
2012218445.tif 000014